【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
構造であって、
剛性材を含む中間部分であって、前記中間部分が前記構造の長手方向寸法に沿って延在する、中間部分と、
身体表面に接触するように構成される外側部分であって、前記外側部分が複数のリブにより前記中間部分に結合され、前記複数のリブが前記身体表面から離して前記中間部分を配置させるように構成される、外側部分と
を含み、
前記構造が衝撃時にエネルギーを吸収および置換するように構成される、
構造。
【請求項２】
前記中間部分、前記外側部分および前記複数のリブが複数の空隙を画定する、請求項１に記載の構造。
【請求項３】
前記外側部分および前記中間部分の各々が幅を有し、前記外側部分の幅が前記中間部分の幅より広い、請求項１に記載の構造。
【請求項４】
前記剛性材が前記外側部分および前記複数のリブより相対的に高い剛性を有する、請求項１に記載の構造。
【請求項５】
前記外側部分が頂端部および底端部を含み、前記複数のリブがある角度方向において前記外側部分の前記頂端部に向かって前記中間部分から延在する、請求項１に記載の構造。
【請求項６】
前記外側部分上に配置されるかまたは前記外側部分に結合される少なくとも１つの固定タブをさらに含み、前記少なくとも１つの固定タブが第２の構造を受けるように構成され、その結果、前記第２の構造が前記構造により受けられるときに、前記構造が使用者の身体上の定位置で保持され得るようになる、請求項１に記載の構造。
【請求項７】
前記中間部分が前記剛性材の外部に配置される外側層をさらに含み、前記外側層が外側表面を画定し、前記剛性材が内側表面を画定する、請求項１に記載の構造。
【請求項８】
前記外側層が前記剛性材上にオーバーモールドされる、請求項７に記載の構造。
【請求項９】
前記剛性材がポリカーボネート材料を含む、請求項１に記載の構造。
【請求項１０】
前記外側部分が、可撓性材料およびゴム状材料からなる群から選択される材料を含む、請求項１に記載の構造。
【請求項１１】
前記剛性材が第１の材料を含み、前記外側部分および前記複数のリブが第２の材料を含み、前記第１の材料が前記第２の材料より相対的に高い剛性を有する、請求項１に記載の構造。
【請求項１２】
前記構造がスポーツ用サポーターとして構成される、請求項１に記載の構造。
【請求項１３】
前記構造がすね当てとして構成される、請求項１に記載の構造。
【請求項１４】
前項構造が、使用者の肩、使用者のすね、使用者のひざ、使用者のひじ、および、使用者のヒップからなる群から選択される領域において、使用者の身体上に配置されるように構成される、請求項１に記載の構造。
【請求項１５】
構造であって、
剛性材を含む中間部分であって、前記中間部分が前記構造の長手方向寸法に沿って延在する、中間部分と、
身体表面に接触するように構成される外側部分であって、前記外側部分が複数のリブにより前記中間部分に結合され、前記複数のリブが前記身体表面から離して前記中間部分を配置させるように構成される、外側部分と
を含み、
前記中間部分、前記外側部分および前記複数のリブが複数の空隙を画定し、
前記剛性材が前記外側部分および前記複数のリブより相対的に高い剛性を有し、
前記構造が衝撃時にエネルギーを吸収および置換するように構成される、
構造。
【請求項１６】
前記外側部分が頂端部および底端部を含み、前記複数のリブがある角度方向において前記外側部分の前記頂端部に向かって前記中間部分から延在する、請求項１５に記載の構造。
【請求項１７】
前記剛性材が第１の材料を含み、前記外側部分および前記複数のリブが第２の材料を含み、前記第１の材料が前記第２の材料より相対的に高い剛性を有する、請求項１５に記載の構造。
【請求項１８】
前記構造がすね当てとして構成される、請求項１５に記載の構造。
【請求項１９】
すね当てであって、
剛性材を含む中間部分であって、前記中間部分が前記すね当ての長手方向寸法に沿って延在する、中間部分と、
身体表面に接触するように構成される外側部分であって、前記外側部分が複数のリブにより前記中間部分に結合され、前記複数のリブが前記身体表面から離して前記中間部分を配置させるように構成される、外側部分と
を含み、
前記中間部分、前記外側部分および前記複数のリブが複数の空隙を画定し、
前記すね当てが衝撃時にエネルギーを吸収および置換するように構成される、
すね当て。
【請求項２０】
すね当てであって、
前記外側部分上に配置されるかまたは前記外側部分に結合される少なくとも２つの固定タブであって、前記少なくとも２つの固定タブが構造を受けるように構成され、その結果、第２の構造が前記すね当てによって受けられるときに、前記すね当てが使用者の身体上の定位置で保持され得るようになる、少なくとも２つの固定タブ
をさらに含む、請求項１９に記載のすね当て。
【手続補正２】
【補正対象書類名】明細書
【補正対象項目名】００２９
【補正方法】変更
【補正の内容】
【００２９】
さらに分析することもなく、前述により、従来の技術の観点からは、本発明の一般的あるいは特定の側面にあたる特徴を構成する特性を除外することなしに、人々が容易に、様々な用途に適合させられるという本発明の趣旨は明らかである。特許状による保護を求める特許の請求範囲は、添付の請求範囲のとおりである。
以上説明したように、本発明は以下の形態を有する。
［形態１］
単位体積当たりでより多くの力を吸収および消散させるべく作用する軽量で柔軟な構造をつくることを目的に、オーバーモールドプロセスに組合わされたゴム様の可とう体に戦略的に配置および維持された帯状の剛性材から成る、クモの巣状の組立を使用した衝撃およびエネルギー吸収構造；スプリングのような設計とゴムのような特性が連動して作用するクモの巣状の可とう体は、この構造が最下部に下がる、あるいはエネルギー吸収能力が上限に達することを防ぐ点は重要である。     その上、この組立には与えられた力が取り除かれると瞬間的に作用する完全な復元力がある。さらに、この構造により、組立の外側部分が最初の力を受け止めて、 クモの巣状の可とう体 (1) がその力を使用者に向けて分散させ、また、受けた衝撃をより多く吸収および消散させることが可能。
［形態２］
形態1に記載された衝撃およびエネルギー吸収構造：本構造は、組立がスポーツ用すね当ての予め決められた領域に組み込まれている。
［形態３］
形態1に記載された衝撃およびエネルギー吸収構造：本構造は、衝撃およびエネルギー吸収構造が、胸当て、肩パッド、ひざ当て、そしてひじ当てや前腕パッドから成るグループから選択された用具に関連して使用される。
［形態４］
形態1に記載された衝撃およびエネルギー吸収構造：本構造は、ダイビング、水泳、アイスホッケー、ローラーホッケー、ローラースケート、スケートボード、フィールドホッケー、サッカー、ラクロス、フットボール、室内フットボール、ボクシング、レスリング、体操、野球、カーレース、オートバイレース、サイクリング、そして陸上競技等からなるグループから選択された活動において使用される。
［形態５］
形態1に記載された衝撃およびエネルギー吸収構造：本構造は、クモの巣状の構造により必要なパッド量が減少し、ゆえに重量を減らし柔軟性を高めている。
［形態６］
形態1に記載された衝撃およびエネルギー吸収構造：本構造は、それに接触する地面やヒト、モノによる、予測可能な力を吸収および消散させるよう調整されている。
［形態７］
形態1に記載された衝撃およびエネルギー吸収構造で、本構造では、帯状の剛性材はポリマー材料から作られている。
［形態８］
形態1に記載された衝撃およびエネルギー吸収構造：本構造は、クモの巣状の可とう体がゴム様の素材で製作されている。
［形態９］
形態1に記載された衝撃およびエネルギー吸収構造：本構造は、帯状の剛性材とクモの巣状の可とう体がひとつのオーバーモールドプロセスに結合されている。
［形態１０］
形態1に記載された衝撃およびエネルギー吸収構造：本構造は、前述の様々なスポーツ競技および危険な活動に対して効果を挙げるよう、本構造は、予め決められた通りの多様な素材およびサイズで製作される。